(57)【要約】【課題】低いコストで高いセキュリティが得られるセキュリティシステムおよび記憶媒体の提供を目的としている。【解決手段】本発明の一実施形態に係るセキュリティシステム１は、複数のユニット２０Ａ,２０Ｂ,２０Ｃ,２０Ｄ・・・と、これら複数のユニットにより記憶内容が読み取られるとともに、複数のユニットに共通の少なくともＰＩＮコードを含む識別情報を記憶する記憶媒体１０とを備えている。各ユニット２０Ａ,２０Ｂ,２０Ｃ,２０Ｄ・・・は、共通の識別情報を記憶する記憶手段と、前記記憶媒体に記憶されている前記共通の識別情報を読み取るための情報読み取り手段と、前記情報読み取り手段により読み取られる前記識別情報が前記記憶手段に記憶された識別情報であるか否かを判定する判定手段とを有している。【選択図】    図１
2009070148.tif 000002
【特許請求の範囲】
【請求項１】
複数のユニットと、
前記複数のユニットにより記憶内容が読み取られるとともに、前記複数のユニットに共通の少なくともＰＩＮコードを含む識別情報を記憶する記憶媒体と、
を備え、
前記各ユニットは、
前記共通の識別情報を記憶する記憶手段と、
前記記憶媒体に記憶されている前記共通の識別情報を読み取るための情報読み取り手段と、
前記情報読み取り手段により読み取られる前記識別情報が前記記憶手段に記憶された識別情報であるか否かを判定する判定手段と、
を有していることを特徴とするセキュリティシステム。
【請求項２】
前記ユニットは、前記記憶媒体を鍵として用いることにより開閉することを特徴とする請求項１に記載のセキュリティシステム。
【請求項３】
前記ユニットは、前記記憶媒体を鍵として用いることにより始動することを特徴とする請求項１に記載のセキュリティシステム。
【請求項４】
複数のユニットにより記憶内容が読み取られるとともに、前記複数のユニットに共通の少なくともＰＩＮコードを含む識別情報を記憶することを特徴とする記憶媒体。
【発明の詳細な説明】
【技術分野】
【０００１】
本発明は、ＰＩＮコードを含む共通の識別情報を用いて記憶媒体を複数のユニット間で共通に使用できるようにしたセキュリティシステムおよび当該セキュリティシステムで使用される記憶媒体に関する。
【背景技術】
【０００２】
従来から、スマートカード、マネーカード、ＩＤカードなどの記憶媒体においては、セキュリティを確保するためにＰＩＮ（個人識別番号）コードが利用されている。すなわち、ＰＩＮコードを記憶媒体に記憶させ、そのＰＩＮコードが認識された後でなければ記憶媒体に記憶されている情報にアクセスできないようにすることで、個人情報や機密情報の流出などを妨げる安全対策が各分野において図られている。
【０００３】
これに関連して、特許文献１には、本人のみしか知らないＰＩＮコードを複数覚える必要性や記憶忘れを無くすとともに、複数枚のカードを所持することによる嵩張りを無くすために、１枚のスマートカードに複数のＰＩＮコードを格納し、それを検索により使用可能とする方法および装置が開示されている。
【０００４】
【特許文献１】特表２００３−５００７８１号公報
【発明の開示】
【発明が解決しようとする課題】
【０００５】
しかしながら、特許文献１の構成では、複数のＰＩＮコードを１枚のスマートカードに格納する必要性から、それに相当するメモリ容量をスマートカードが有していなければならず、また、複数のＰＩＮコードの中から１のＰＩＮコードを選択する必要があるため、そのために必要なスマートカードの内部構成が複雑化してしまうといった問題がある。その結果、１枚のカードにかかるコストが高くなり、量産することが難しくなる。
【０００６】
本発明は前記事情に着目してなされたものであり、低いコストで高いセキュリティが得られるセキュリティシステムおよび記憶媒体を提供することにある。
【課題を解決するための手段】
【０００７】
前記課題を解決するために、請求項１に記載されたセキュリティシステムは、複数のユニットと、前記複数のユニットにより記憶内容が読み取られるとともに、前記複数のユニットに共通の少なくともＰＩＮコードを含む識別情報を記憶する記憶媒体とを備え、前記各ユニットは、前記共通の識別情報を記憶する記憶手段と、前記記憶媒体に記憶されている前記共通の識別情報を読み取るための情報読み取り手段と、前記情報読み取り手段により読み取られる前記識別情報が前記記憶手段に記憶された識別情報であるか否かを判定する判定手段とを有していることを特徴とする。
【０００８】
この請求項１に記載されたセキュリティシステムによれば、ＰＩＮコードを含む共通の識別情報を用いて記憶媒体を複数のユニット間で共通に使用できるため、すなわち、複数のユニットに共通の識別情報を記憶媒体に記憶させるだけで、複数のユニットの安全管理等を行なえるため、低いコストで高いセキュリティが得られる。また、複数のユニットに共通の識別情報を記憶媒体に記憶させるだけで済むため、記憶容量を小さくして構造を簡略化することができ、したがって、記憶媒体の製造コストを低く抑えることができる（言い換えると、単一の記憶媒体にかかるコストを低くしても、高いセキュリティが得られる）。そのため、記憶媒体の大量生産も可能になる。
【０００９】
また、請求項２に記載されたセキュリティシステムは、請求項１に記載されたセキュリティシステムにおいて、前記ユニットは、前記記憶媒体を鍵として用いることにより開閉することを特徴とする。
【００１０】
この請求項２に記載されたセキュリティシステムによれば、請求項１に記載されたセキュリティシステムと同様の作用効果を得ることができるとともに、記憶媒体に機械的な作用を与えることができ、記憶媒体の汎用性が高まる。前記鍵としては、例えば家の鍵などを挙げることができる。そのような場合、例えばクレジットカードやマネーカードとして機能し得る単一の記憶媒体を所持するだけで、家の玄関の扉を開閉することができ、利便性が高まるとともに、財布やポケットの中の嵩張りを無くすことができる。
【００１１】
また、請求項３に記載されたセキュリティシステムは、請求項１に記載されたセキュリティシステムにおいて、前記ユニットは、前記記憶媒体を鍵として用いることにより始動することを特徴とする。
【００１２】
この請求項３に記載されたセキュリティシステムによれば、請求項１に記載されたセキュリティシステムと同様の作用効果を得ることができるとともに、記憶媒体に機械的な作用を与えることができ、記憶媒体の汎用性が高まる。前記鍵としては、例えば、自動車の鍵などを挙げることができる。そのような場合、例えばクレジットカードやマネーカードとして機能し得る単一の記憶媒体を所持するだけで、自動車のエンジンをかけることもでき、利便性が高まるとともに、財布やポケットの中の嵩張りを無くすことができる
【００１３】
また、請求項４に記載された記憶媒体は、複数のユニットにより記憶内容が読み取られるとともに、前記複数のユニットに共通の少なくともＰＩＮコードを含む識別情報を記憶することを特徴とする。
【００１４】
この請求項４に記載された記憶媒体によれば、記憶媒体にかかるコストを低くしても、高いセキュリティが得られる。
【発明の効果】
【００１５】
本発明によれば、ＰＩＮコードを含む共通の識別情報を用いて記憶媒体を複数のユニット間で共通に使用できるようにしているため、低いコストで高いセキュリティが得られるセキュリティシステムを提供できる。つまり、単一の記憶媒体にかかるコストを低くしても、高いセキュリティが得られる。
【発明を実施するための最良の形態】
【００１６】
以下、図面を参照しながら、本発明の一実施形態について説明する。
図１には、１つのＰＩＮコードを複数のユニットに共通に使用する本発明の一実施形態に係るセキュリティシステムの一例が概念的に示されている。図示のように、セキュリティシステム１は、様々な情報を記憶するカードを使用してサービスを提供する例えばクレジットカード会社２、銀行３のみならず、そのようなカードで商品の作動を行なうことが一般的ではない様々な産業、例えば遊技機業界４や自動車業界（自動車会社５）におけるユーザ使用媒体（クレジットカードや銀行カード、あるいは、自動車の始動キーや遊技機を作動させるための媒体など）を１つのセキュリティ会社６が統合してこれらの産業主体２，３，４，５・・・の機器（以下、ユニットという）において共通に利用できる記憶媒体としてのカード１０を発行することにより構築される。これは、既存のクレジットカード等や鍵などをセキュリティ会社６が一旦回収して新たにカード１０を発行しても良いが、１つのカード１０を当初から複数のユニットで利用することを目的としてセキュリティ会社６が産業主体２，３，４，５との提携に基づき発行しても良い。
【００１７】
具体的には、カード１０には、前記産業主体２，３，４，５・・・が扱う様々な複数のユニット２０、例えば、自動車２０Ａ、家屋の自動式開閉ドア２０Ｂ、遊技機（パチンコやスロットマシンなど）２０Ｃ、キャッシュディスペンサ２０Ｄ間で共通に使用できる１つのＰＩＮコードが記憶されており、ユーザ１２がカード１０をこれらの複数のユニット１０Ａ，２０Ｂ，２０Ｃ，２０Ｄにおいて使用することにより、各ユニット１０Ａ，２０Ｂ，２０Ｃ，２０ＤでＰＩＮコードが読み取られ、各ユニット１０Ａ，２０Ｂ，２０Ｃ，２０Ｄの作動が可能になる（各ユニットを使用できる）。すなわち、自動車であるユニット２０Ａは、カード１０を鍵として用いることにより始動し、あるいは、家屋の自動式開閉ドア２０Ｂは、カード１０を鍵として用いることにより開閉し、また、遊技機であるユニット２０Ｃは、カード１０を例えば遊技媒体貸し出しカードとして用いることにより、遊技媒体の提供を可能にし、キャッシュディスペンサ２０Ｄであるユニット２０Ｄは、カード１０をそのままクレジットカードや銀行カードとして用いることにより紙幣等の出し入れを可能にする。なお、以上のような利用形態を可能する記憶媒体は、カードに限らず、例えば、遊技媒体を構成するチップ（カード１０と同様、チップの中にはＰＩＮコードが記憶されるとともに、遊技価値情報が記憶される）として形成されていても構わない。
【００１８】
より具体的には、図２の（ａ）に示されるように、カード１０は、所定の情報を記憶する情報記憶部１１と、共通の前記ＰＩＮコードを含む識別情報が記憶される共通ＰＩＮコード記憶部１２と、これらの記憶部１１，１２に記憶される情報の外部への供給或いは記憶部１１に対する外部からの情報記憶を可能にするためのインタフェース１４と、これらの構成要素１１，１２，１４を制御するための制御ドライバ１３とを少なくとも有しており、特に、制御ドライバ１３は、ユニット２０が共通ＰＩＮコードの認証を行なってその正当性を判別した場合にのみ情報記憶部１１の情報へのアクセスをユニット２０に許容するように動作制御する。
【００１９】
一方、ユニット２０は、ユニット２０の作動に関与する様々な情報を記憶する記憶手段としてのメモリ２３と、ユニットの駆動要素を駆動させるための駆動部２４と、カード１０に記憶された情報を読み取るための情報読み取り部（情報読み取り手段）２１と、これらの構成要素２１，２３，２４を制御するための制御部２２とを少なくとも有している。この場合、メモリ２３は、前記ＰＩＮコードを含む識別情報が記憶される共通ＰＩＮコード記憶部２３ａを有しており、また、制御部２２は、情報読み取り部２１により読み取られるカード１０のＰＩＮコード（識別情報）がメモリ２３の共通ＰＩＮコード記憶部２３ａに記憶されたＰＩＮコードであるか否かを判定する判定手段として機能する。
【００２０】
なお、本実施形態において、複数のユニット２０において共通に使用される識別情報は、１つのＰＩＮコードのみに限らない。例えばＰＩＮコードを含む様々な１または複数の識別コードを複数のユニット２０の共通識別情報として使用しても良く、それによりセキュリティ性を高めることもできる。
【００２１】
以上のように、本実施形態のセキュリティシステムによれば、共通の１つのＰＩＮコードを用いてカード１０を複数のユニット２０間で共通に使用できるため、すなわち、複数のユニット２０に共通のＰＩＮコードをカード１０に記憶させるだけで、複数のユニット２０の安全管理等を行なえるため、低いコストで高いセキュリティが得られる。また、複数のユニット２０に共通のＰＩＮコードをカード１０に記憶させるだけで済むため、記憶容量を小さくして構造を簡略化することができ、したがって、カード１０の製造コストを低く抑えることができる（言い換えると、単一のカード１０にかかるコストを低くしても、高いセキュリティが得られる）。そのため、カード１０の大量生産も可能になる。
【００２２】
また、本実施形態では、カード１０を鍵として用いることによりユニット２０を開閉または始動させることができるため、すなわち、カード１０に機械的な作用を与えることができるため、カード１０の汎用性が高まる。この場合、例えばクレジットカードやマネーカードとして機能し得る単一のカード１０を所持するだけで、家の玄関の扉を開閉することができ、また、自動車のエンジンをかけることもでき、利便性が高まるとともに、財布やポケットの中の嵩張りを無くすことができる。
【図面の簡単な説明】
【００２３】
【図１】１つのＰＩＮコードを複数のユニットに共通に使用する本発明の一実施形態に係るセキュリティシステムの一例の概念図である。
【図２】（ａ）はセキュリシステムを構成するカードの内部構造を示す概略ブロック図、（ｂ）はセキュリシステムを構成するユニットの内部構造を示す概略ブロック図である。
【符号の説明】
【００２４】
１  セキュリティシステム
１０  カード（記憶媒体）
２０  ユニット
２１  情報読み取り部（情報読み取り手段）
２２  制御部（判定手段）
２３  メモリ（記憶手段）
【図１】
2009070148.tif 000003
【図２】
2009070148.tif 000004